(57)【要約】【課題】少なくとも一つの記録層を含む追記型光ディスクにおいて、書込み方式情報がディスク制御情報内に記録され、その結果、標準化されたディスク制御情報をデータ記録及び再生に一様に適用することができる。【解決手段】少なくとも一つのディスク情報が管理領域内にディスク制御情報として記録される。ディスク制御情報は、同じ書込み倍速及び記録層に対して少なくとも一つの書込み方式タイプ別に記録される。対応するディスク情報に記録された書込み方式タイプは、適用可能な書込み方式タイプのうちオプションとして決定された書込み方式タイプの書込み方式パラメータを記録することによって決定される。【選択図】図１
2006313621.tif 000002
【特許請求の範囲】
【請求項１】
少なくとも１つの記録層を有する制御情報のデータ構造を有する記録媒体であって、前記制御情報は低い書込み倍速および高い書込み倍速のための少なくとも２つの情報単位を含み、低い書込み倍速のための前記第１情報単位は、前記低い書込み倍速のために使用される第１書込み方式タイプのための書込み方式パラメータを含み、前記第１書込み方式タイプは、前記低い書込み倍速に適用可能な複数の書込み倍速の１つであり、少なくとも前記低い書込み倍速のために必ず使用される必須タイプか、前記低い書込み倍速に適用可能な前記複数の書込み倍速のうち選好に基づいて決定される選好タイプであり、高い書込み倍速のための前記第２情報単位は、前記高い書込み倍速のために使用される書込み方式タイプのための書込み方式パラメータを含み、前記高い書込み倍速の書込み方式タイプは、前記第１書込み方式タイプと同じか、前記第１書込み方式タイプと異なる書込み方式タイプであり、少なくとも前記高い書込み倍速のために必ず使用される必須タイプか、前記高い書込み倍速に適用可能な前記複数の書込み倍速のうち選好に基づいて決定される選好タイプであることを特徴とする記録媒体。
【請求項２】
前記高い書込み倍速のための前記書込み方式パラメータは、前記同じ書込み方式タイプが使用されても前記書込み倍速のための書込み方式パラメータと異なることを特徴とする請求項１に記載の記録媒体。
【請求項３】
前記第２情報単位は、前記書込み方式タイプを有する第２情報単位を識別する識別情報を含むことを特徴とする請求項２に記載の記録媒体。
【請求項４】
前記識別情報は、ｎ−１書込み方式タイプおよびｎ／２書込み方式タイプの１つを有する前記第２情報単位を識別し、ここでｎはマークの長さであり、各タイプは対応するマークを形成する書込みパルスの数を表すことを特徴とする請求項３に記載の記録媒体。
【請求項５】
低い書込み倍速のための前記第１情報単位は、位置に関して前記高い書込み倍速のための第２情報単位によって後続されることを特徴とする請求項１に記載の記録媒体。
【請求項６】
前記制御情報は、前記低い書込み倍速のための代替情報単位を含み、前記代替情報単位は、前記第１書込み方式タイプとは異なる第２書込み方式タイプのための書込み方式パラメータを含み、前記第２書込み方式タイプは、少なくとも前記低い書込み倍速のためにオプションまたは代替的に使用されるオプションまたは代替タイプであることを特徴とする請求項１に記載の記録媒体。
【請求項７】
前記第２書込み方式タイプのための前記代替情報単位は、記録順序に関して前記第１書込み方式タイプのための第１情報単位によって先行されることを特徴とする請求項６に記載の記録媒体。
【請求項８】
前記制御情報は、前記高い記録倍速のための代替情報単位をさらに含み、前記代替情報単位は、前記第２情報単位のために使用される前記書込み方式タイプとは異なる代替書込み方式タイプのための書込み方式パラメータをさらに含み、前記代替書込み方式タイプは、少なくとも前記高い書込み倍速のためにオプション的または代替的に使用されるオプションまたは代替タイプであることを特徴とする請求項１に記載の記録媒体。
【請求項９】
前記代替書込み方式タイプは、ｎ−１書込み方式タイプまたはｎ／２書込み方式タイプであり、ここでｎはマークの長さであり、各タイプは対応するマークを形成する書込みパルスの数を表すことを特徴とする請求項６に記載の記録媒体。
【請求項１０】
前記高い書込み倍速のための前記書込み方式タイプは、ｎ−１書込み方式タイプおよびｎ／２書込み方式タイプの１つであり、前記代替書込み方式タイプは、ｎ−１書込み方式タイプおよびｎ／２書込み方式タイプの１つであるが、前者の書込み方式タイプとは異なり、ここでｎはマークの長さであり、各タイプは対応するマークを形成する書込みパルスの数を表すことを特徴とする請求項６に記載の記録媒体。
【請求項１１】
前記高い書込み倍速の代替書込み方式タイプのための代替情報単位は、記録順序に関して前記高い書込み倍速の書込み方式タイプのための第２情報単位によって先行されることを特徴とする請求項６に記載の記録媒体。
【請求項１２】
記録媒体の特定の領域から制御情報を読み出すこととであって、前記制御情報は、低い書込み倍速のための第１情報単位および高い書込み倍速のための第２情報単位を含み、低い書込み倍速の前記第１情報単位は、前記低い書込み倍速のために使用される第１書込み方式タイプのための書込み方式パラメータを含み、前記第１書込み方式タイプは、前記低い書込み倍速に適用可能な複数の書込み方式タイプの１つであり、少なくとも前記低い書込み倍速のために必ず使用される必須タイプか、前記低い書込み倍速に適用可能な前記複数の書込み方式タイプのうち選好に基づいて決定される選好タイプであり、高い書込み倍速のための前記第２情報単位は、前記高い書込み倍速のために使用される書込み方式タイプのための書込み方式パラメータを含み、前記高い書込み倍速のための前記書込み方式タイプは、前記第１書込み方式タイプと同じか、前記書込み方式タイプと異なる書込み方式タイプであり、少なくとも前記高い書込み倍速のために必ず使用される必須タイプか、前記低い書込み倍速に適用可能な前記複数の書込み方式タイプのうち選好に基づいて決定される選好タイプであることと、前記第１および第２情報単位のうち少なくとも１つの情報単位に基づいて特定の書込み倍速でデータを記録することとを備えることを特徴とする記録方法。
【請求項１３】
特定の書込み方式タイプを有する対応する情報単位を識別する識別情報および／または特定の書込み倍速を示す倍速情報に基づいて第１および第２情報単位の１つを識別することをさらに備えることを特徴とする請求項１０に記載の方法。
【請求項１４】
前記識別情報は、ｎ−１書込み方式タイプおよびｎ／２書込み方式タイプの１つを有する対応する情報単位を識別し、ここでｎはマークの長さであり、各タイプは対応するマークを形成する書込みパルスの数を表すことを特徴とする請求１１に記載の方法。
【請求項１５】
前記高い書込み倍速のための書込み方式パラメータは、同じ書込み倍速が使用されても前記低い書込み倍速のための前記書込みパラメータと異なることを特徴とする請求項１０に記載の方法。
【請求項１６】
データを記録する書込み倍速を決定することと、
前記決定するステップに基づいて前記読み出された制御情報から前記第１および第２情報単位の少なくとも１つを選択することと
をさらに備えることを特徴とする請求項１０に記載の方法。
【請求項１７】
前記低い書込み倍速のための第１情報単位は、前記低い書込み倍速のための代替情報単位によって後続され、前記方法は、
前記第１情報単位および前記代替情報単位の記録順序に基づいて前記低い記録倍速のための必須または選好書込み方式タイプが必須とみなされるか、選好とみなされるかを識別することをさらに備えることを特徴とする請求項１０に記載の方法。
【請求項１８】
前記高い書込み倍速のための第２情報単位は、前記高い書込み倍速のための代替情報単位によって後続され、前記方法は、
前記第２情報単位および前記代替情報単位の記録順序に基づいて前記高い記録倍速のための必須または選好書込み方式タイプが必須とみなされるか、選好とみなされるかを識別することをさらに備えることを特徴とする請求項１０に記載の方法。
【請求項１９】
記録媒体上のデータについての装置であって、
前記記録媒体の特定の領域から制御情報を読み出すピックアップ部であって、前記制御情報は低い書込み倍速のための第１情報単位および高い書込み倍速のための第２情報単位を含み、低い書込み倍速のための前記第１情報単位は、前記低い書込み倍速のために使用される第１書込み方式タイプのための書込み方式パラメータを含み、前記第１書込み方式タイプは、前記低い書込み倍速に適用可能な複数の書込み方式タイプの１つであり、少なくとも前記低い書込み倍速のために必ず使用される必須タイプまたは前記低い書込み倍速に適用可能な前記複数の書込み方式タイプのうち選好に基づいて決定される選好タイプであり、前記高い書込み倍速のための第２情報単位は、前記高い書込み倍速のために使用される書込み方式タイプのための書込み方式パラメータを含み、前記高い書込み倍速のための書込み方式タイプは、前記第１書込み方式タイプと同じか、前記第１書込み方式タイプと異なる書込み方式タイプであり、少なくとも前記高い書込み倍速のために必ず使用される必須タイプか、前記高い書込み倍速に適用可能な前記複数の書込み方式タイプのうち選好に基づいて決定される選好タイプである、ピックアップ部と、
ピックアップ部を制御して、前記第１および第２情報単位のうち少なくとも１つの情報単位に基づいて特定の書込み倍速でデータを記録する制御部と
を備えたことを特徴とする装置。
【請求項２０】
前記制御部は、特定の書込み方式タイプを有する対応する情報単位を識別する識別情報および／または特定の書込み倍速を示す倍速情報に基づいて第１および第２情報単位の１つを識別し、前記ピックアップ部を制御して前記識別するステップの結果として少なくとも１つの情報単位に基づいて前記特定の書込み倍速でデータを記録することを特徴とする請求項１７に記載の装置。
【請求項２１】
前記識別情報は、ｎ−１書込み方式タイプおよびｎ／２書込み方式タイプの１つを有する前記対応する情報単位を識別し、ここでｎはマークの長さであり、各タイプは対応するマークを形成する書込みパルスの数を表すことを特徴とする請求項１８に記載の装置。
【請求項２２】
前記高い書込み倍速のための書込み方式パラメータは、同じ書込み方式タイプが使用されても前記低い書込み倍速のための書込み方式パラメータと異なることを特徴とする請求項１７に記載の装置。
【請求項２３】
前記制御部は、データを記録する書込み倍速を決定し、前記決定に基づいて前記読み出された制御情報から前記第１および第２情報単位の少なくとも１つを選択することを特徴とする請求項１７に記載の装置。
【請求項２４】
前記低い書込み倍速のための第１情報単位は、前記低い書込み倍速のための代替情報単位によって後続され、前記制御部は、前記第１情報単位および前記代替情報単位の記録順序に基づいて前記低い書込み倍速のための必須または選好書込み方式タイプが必須とみなされるか、選好とみなされるかを識別することを特徴とする請求項１７に記載の装置。
【請求項２５】
前記高い書込み倍速のための第２情報単位は、前記高い書込み倍速のための代替情報単位によって後続され、前記制御部は、前記第２情報単位および前記代替情報単位の記録順序に基づいて前記高い書込み倍速のための必須または選好書込み方式タイプが必須とみなされるか、選好とみなされるかを識別することを特徴とする請求項１７に記載の装置。
【発明の詳細な説明】
【技術分野】
【０００１】
本発明は、記録媒体に関し、より詳しくは、少なくとも一つの記録層を含む追記型光ディスク（ｒｅｃｏｒｄａｂｌｅ  ｏｐｔｉｃａｌ  ｄｉｓｃ）にディスク制御情報を記録する方法に関し、ここで、書込み方式（ｗｒｉｔｅ  ｓｔｒａｔｅｇｙ）情報が、記録されたディスク制御情報内に含まれ、追記型光ディスクの特定領域に記録されたディスク制御情報を用いてデータを記録する方法に関する。
【背景技術】
【０００２】
ＨＤ−ＤＶＤとして知られている高密度光記録媒体は、高解像度のビデオデータ、高品質のオーディオデータを記録及び格納するのに広く使用されている。ブルーレイディスク（Ｂｌｕ−ｒａｙ  ｄｉｓｃ）は、次世代ＨＤ−ＤＶＤ技術を代表するものである。
【０００３】
ライトワンスブルーレイディスク（ＢＤ−ＷＯ）の標準を含むブルーレイディスクの世界標準についての技術仕様が現在制定されている。この間、１倍速ＢＤ−ＲＥとして知られ、現在論議中の書き換え可能な（ｒｅｗｒｉｔａｂｌｅ）ブルーレイディスクは、より高い記録速度を有すると期待されるＢＤ−ＲＥディスク（すなわち、２倍速ＢＤ−ＲＥおよびそれを超える）と互換可能でなければならない。高速記録速度のためのＢＤ−ＷＯの仕様についても現在進行中である。高密度光ディスクの高い記録速度に対応する効率的なソリューションが至急必要とされており、制定される仕様は、相互互換性を確保しなければならない。
【発明の開示】
【発明が解決しようとする課題】
【０００４】
したがって、本発明は、関連技術の限界及び欠点による一つ以上の問題点を実質的に防止するディスク制御情報記録方法を対象とする。
【０００５】
本発明の目的は、高い書込み倍速に対応するディスク制御情報を記録する方法を提供することであり、これによって書込み方式が記録媒体上に事前記録されたディスク制御情報内に含められ、これによって記録媒体への記録、再生が記録されたディスク情報に基づいて行われ得る。
【０００６】
本発明の他の目的は、ディスク制御情報を構成するためのデータ構造を提供することである。
【０００７】
本発明の他の目的は、高い書込み倍速に対応する書込み方式情報を含むディスク制御情報を記録する方法を提供し、類似の記録媒体間の互換性を達成することである。
【０００８】
本発明の他の目的は、上記のディスク制御情報記録方法と共に使用するのに好適な記録媒体、記録及び再生方法、並びにその装置を提供することである。
【０００９】
本発明のさらなる利点、目的及び特徴は、部分的には以後の説明に詳述され、部分的に以下の検討によって当業者には明らかとなるであろうし、本発明の実施によって習得されるかもしれない。
【００１０】
本発明の目的およびその他の利点は、添付の図面のほか、請求の範囲および詳細な説明で特に指摘した構造によって実現及び達成され得る。
【課題を解決するための手段】
【００１１】
これら目的およびその他の利点を達成するために、ここに広く説明され、具現されるように、本発明によって、少なくとも一つの記録層を有する記録媒体と共に使用するための制御情報のデータ構造であって、前記制御情報は、書込み倍速及び記録層に対する少なくとも一つの情報単位を含み、前記情報単位は、前記書込み倍速及び記録層のために使用される第１書込み方式タイプのための書込み方式パラメータを含み、前記第１書込み方式タイプは、同じ書込み倍速及び記録層に適用可能な複数の書込み方式タイプのうち一つであり、前記第１書込み方式タイプは、少なくとも特定の書込み倍速のために必ず使用される必須タイプであるか、同じ書込み倍速及び記録層に適用可能な前記複数の書込み方式タイプのうちの選好に基づいて決定される選好タイプであることを特徴とする。
【００１２】
本発明の他の側面において、光記録媒体はデータ構造による制御情報を含む。
【００１３】
本発明の他の側面において、記録方法は、書込み倍速及び記録層に対する少なくとも一つの情報単位を含む制御情報であって、前記情報単位は、前記書込み倍速及び記録層のために使用される第１書込み方式タイプのための書込み方式パラメータを含み、前記第１書込み方式タイプは、同じ書込み倍速及び記録層に適用可能な複数の書込み方式タイプのうち一つであり、前記第１書込み方式タイプは、少なくとも特定の書込み倍速のために必ず使用される必須タイプであるか、同じ書込み倍速及び記録層に適用可能な前記複数の書込み方式タイプのうち選好に基づいて決定される選好タイプであることを特徴とする前記制御情報を読み出す段階と、少なくとも一つの情報単位に基づいて、特定の書込み倍速で特定の記録層上にデータを記録する段階とを備える。
【００１４】
本発明の他の側面において、記録方法は、書込み倍速および記録層のための第１情報単位と同じ書込み倍速および記録層のための第２情報単位とを含む制御情報であって、前記第１情報単位は、書込み倍速および記録層のために使用される第１書込み方式タイプに対する書込み方式パラメータを含み、前記第１書込み方式タイプは、同じ書込み倍速および記録層に適用可能な複数の書込み方式タイプのうち一つであり、前記第１書込み方式タイプは、少なくとも特定の書込み倍速に必ず使用される必須タイプであるか、同じ書込み倍速および記録層に適用可能な複数の書込み方式タイプのうちの選好に基づいて決定される選好タイプであり、同じ書込み倍速および記録層のための第２情報単位は、第１書込み方式タイプとは異なる第２書込み方式タイプの書込み方式パラメータを含み、前記第２書込み方式タイプは、少なくとも同じ書込み倍速のためにオプションまたは代替的に使用するオプションまたは代替のタイプであることを特徴とする前記制御情報を読み出す段階と、前記第１情報単位および前記第２情報単位のうちの少なくとも一つの情報単位に基づいて、特定の書込み倍速で特定の記録層にデータを記録する段階とを備える。
【００１５】
本発明の他の側面において、記録可能領域および記録不可または事前記録領域が提供された少なくとも一つの記録層を備えた光ディスクであって、複数のディスク情報が前記事前記録領域内に記録され、複数の前記ディスク情報が書込み倍速別及び記録層別に特定の順序で配列され、複数の前記ディスク情報の少なくとも一つが書込み方式タイプに従って同じ書込み倍速及び記録層に対して記録され、オプションで決定された選好書込み方式ＷＳ情報が、前記同じ書込み倍速及び記録層に対して記録された複数の前記ディスク情報のうち前の情報に記録されることを特徴とする。
【００１６】
本発明の他の側面において、少なくとも一つの記録層を有する光ディスクが装填されると、複数のディスク情報を読み出し、複数のディスク制御情報のそれぞれの内に記録された対応する書込み倍速に適合する書込み方式パラメータを格納するために読み出し、複数のディスク制御情報は、書込み倍速および記録層別に特定の順序で光ディスクの管理領域内に配列され、複数のディスク制御情報の少なくとも一つは、同じ書込み倍速及び記録層に対する書込み方式タイプによって記録され、対応するディスク情報のうち優先的に選好書込み方式をその中に含むディスク情報を用いて複数の格納されたディスク情報のうちの特定の書込み倍速および記録層のディスク制御情報を参照することによって特定の書込み倍速で特定の記録層に記録を行う段階を含む。
【００１７】
本発明の他の側面において、記録方法は、より低い書込み倍速及び記録層に対する第１情報単位と、より高い書込み倍速及び同じ記録層のための第２情報単位とを含む制御情報であって、前記第１情報単位は、前記書込み倍速及び記録層のために使用される第１書込み方式タイプのための書込み方式パラメータを含み、前記第１書込み方式タイプは、同じ書込み倍速及び記録層に適用可能な複数の書込み方式タイプのうち一つであり、前記第１書込み方式タイプは、少なくとも特定の書込み倍速のために必ず使用される必須タイプであるか、同じ書込み倍速及び記録層に適用可能な前記複数の書込み方式タイプのうち選好に基づいて決定される選好タイプであり、より高い書込み倍速及び記録層のための前記第２情報単位は、前記より高い書込み倍速及び同じ記録層のために使用される第２書込み方式タイプのための書込み方式パラメータを含み、前記より高い書込み倍速のための前記第２書込み方式タイプは、前記第１書込み方式タイプと同じか、前記第１書込み方式タイプとは異なる書込み方式タイプであり、前記より高い書込み倍速のための前記第１書込み方式タイプは、少なくとも前記より高い書込み倍速のために必ず使用される必須タイプであるか、前記より高い書込み倍速及び同じ記録層に適用可能な複数の書込み方式タイプのうち選好に基づいて決定された選好タイプであることを特徴とする前記制御情報を読み出す段階と；前記第１及び第２情報単位のうち少なくとも一つの情報単位に基づいて、特定の書込み倍速で特定の記録層上にデータを記録する段階とを含む。
【００１８】
本発明の他の側面において、記録装置は、記録コマンドを生成するための制御部と；書込み倍速及び記録層に対する少なくとも一つの情報単位を含む制御情報であって、前記情報単位は、前記書込み倍速及び記録層のために使用される第１書込み方式タイプのための書込み方式パラメータを含み、前記第１書込み方式タイプは、同じ書込み倍速及び記録層に適用可能な複数の書込み方式タイプのうち一つであり、前記第１書込み方式タイプは、少なくとも特定の書込み倍速のために必ず使用される必須タイプであるか、同じ書込み倍速及び記録層に適用可能な前記複数の書込み方式タイプのうち選考に基づいて決定される選好タイプであることを特徴とする前記制御情報を読み出すことによって、前記生成された記録コマンドに基づいて記録を行う記録/再生部とを含む。
【００１９】
本発明の前述した一般的な説明および以下の詳細な説明は、例示的で説明的なものであり、請求の範囲に記載された本発明のさらなる説明を提供するためのものであることを理解されたい。
【００２０】
本発明のさらなる理解を提供するために含められ、本願に組み込まれ、その一部を構成する添付の図面は、本発明の実施例を例示し、説明と共に本発明の原理の説明に供する。
【発明を実施するための最良の形態】
【００２１】
以下、本発明の好適な実施例を詳細に参照することにするが、その例は、添付の図面に例示されている。図面中、同一または類似する部分には可能な限り同一の参照符号を使用する。説明の便宜上、ブルーレイディスク（ＢＤ：Ｂｌｕ−ｒａｙ  Ｄｉｓｃ)を本発明による光ディスクの一例として取り上げる。もっとも、ディスク制御情報が記録された光ディスクを特徴とする本発明の概念は、例えばＤＶＤ−ＲＡＭ／−ＲＷ／＋ＲＷ／−Ｒ／＋Ｒなどに同じように適用可能であることが明らかである。
【００２２】
なお、本発明で使用される用語は、現在広く知られているものからできる限り選定したが、場合によっては、出願人によって任意に選ばれたものもあり、その用語の意味は、下記の説明において詳細に説明した。したがって、本発明は、用語自体の単なる名称や意味ではなく、出願人によって選ばれた対応する用語の意図された意味として理解されるべきである。
【００２３】
まず、本発明の説明において、「ディスク制御情報」とは、ディスク記録再生のための多様な情報またはディスク記録再生のための情報を含む領域を意味する。そして、ディスク制御情報は、事前記録領域またはディスク製作者によるディスク使用者のためのエンボス領域に提供された、共通に指定された情報である。もっとも、ディスク制御情報は、事前記録領域だけでなく、記録可能領域に提供される。事前記録されるか、エンボスされた領域内のディスク情報は、記録可能領域にコピーされることもできる。そして、これらは例示に過ぎない。
【００２４】
例えば、ディスク制御情報は、ＢＤにおいては「ディスク情報」と呼ばれ、ＤＶＤ−ＲＡＭ／−ＲＷ／＋ＲＷ／−Ｒ／＋Ｒにおいては「物理的フォーマット情報」と呼ばれる。よって、本発明の技術背景は、ＤＶＤ−ＲＡＭ／−ＲＷ／＋ＲＷ／−Ｒ／＋Ｒにおける「物理的フォーマット情報」に等しく適用可能であるということが明らかである。説明の便宜上、以下、ブルーレイディスク（ＢＤ）の場合に対応する「ディスク情報（以下、ＤＩと略す）」を一例として取り上げる。
【００２５】
図１及び図２は本発明による光ディスクを示す構造図であり、追記型光ディスクも十分に本発明に適用可能な光ディスクである、さらに、この追記型光ディスクは、書き換え可能な光ディスク、ライトワンス光ディスクなどのいずれの一つとすることができる。
【００２６】
図１は、本発明による一つの記録層を有する単一層ディスクの構造を示す。
【００２７】
図１を参照すると、リードイン領域（ｌｅａｄ−ｉｎ  ａｒｅａ）は光ディスクの内周領域上の管理領域として提供され、リードアウト領域（ｌｅａｄ−ｏｕｔ  ａｒｅａ）は光ディスクの外周領域上の管理領域として提供される。具体的には、事前記録領域及び書き換え可能な領域または一度だけ書き込み可能な領域は、光ディスクの内周領域内でそれぞれ分けられている。
【００２８】
事前記録領域は、ディスクの製作においてデータが既に記録された領域（「エンボス領域」という。）であり、使用者またはシステムは、この事前記録領域にデータ書込みを全く行うことができない。ＢＤ−ＲＥ／ＷＯでは、事前記録領域をＰＩＣ（ｐｅｒｍａｎｅｎｔ  ｉｎｆｏｒｍａｔｉｏｎ  ａｎｄ  ｃｏｎｔｒｏｌ  ｄａｔａ）領域と名付けている。そして、ディスク記録に必要な情報として上述のディスク情報（以下、「ＤＩ」ともいう。）がＰＩＣ領域に記録される。
【００２９】
データ領域には、使用者の実際データが記録される使用者データ領域と、発生した欠陥領域を置き換えるスペア領域ＩＳＡおよびＯＳＡとが提供される。具体的には、ＢＤ−ＷＯのようなライトワンス光ディスクには欠陥管理及び一般管理に関する情報を記録するＴＤＭＡ（Ｔｅｍｐｏｒａｒｙ  Ｄｅｆｅｃｔ  Ｍａｎａｇｅｍｅｎｔ  Ａｒｅａ）が提供される。書き換え可能なＢＤ（ＢＤ−ＲＥ）の場合、ＴＤＭＡは不必要であり、このような領域は、予約領域（ｒｅｓｅｒｖｅｄ  ａｒｅａ）として残される。
【００３０】
本発明は、ディスクの記録再生のために必要なディスク制御情報としてディスク情報（ＤＩ）を、事前記録または記録可能領域に效率的に記録する方法を提供するためのものである。事前記録領域内の記録方法は、ディスクタイプごとに異なって適用されることが明らかである。ＢＤ−ＲＥ／ＷＯの場合、事前記録領域としてのＰＩＣ領域は、バイフェーズ高周波変調信号（ｂｉｐｈａｓｅｄ  ｈｉｇｈ−ｆｒｅｑｕｅｎｃｙ  ｍｏｄｕｌａｔｅｄ  ｓｉｇｎａｌｓ）で記録され、その対応する領域の高周波変調信号は、特定の再生方法によって再生され、この再生から情報が取得される。
【００３１】
図２は、二重の記録層を有する二重層ディスクを示す図であり、リードインで始まる記録層は第１記録層Ｌａｙｅｒ０と名付けられ、リードアウトで終わる記録層は第２記録層Ｌａｙｅｒ１と名付けられる。
【００３２】
二重層ディスクでは、ディスク内周領域のリードイン及びリードアウト領域にＰＩＣ領域が提供され、同じ内容のディスク情報（ＤＩ）がＰＩＣ領域に記録される。
【００３３】
図３は、図１及び図２に示すディスクのＰＩＣ領域を示す構造図である。これは、上の説明で述べたように、高周波変調されたＰＩＣ領域内の全情報が取得されるとき、図３のＰＩＣ領域の構造のように情報が再配列できることを意味する。
【００３４】
以下にＰＩＣ領域内のディスク情報（ＤＩ）を構成する方法を詳しく説明する。
【００３５】
ＢＤ−ＲＥ／ＷＯにおいて「一つのクラスタ」は、最小記録単位を表し、５４４クラスタが集まって一つの上位記録単位としての１つのフラグメントを構成し、合計５個のフラグメントが集まってＰＩＣ領域を形成する。ディスク情報は、最初のフラグメントＩＦ０の先頭クラスタに記録される。ディスク情報は、対応する光ディスクによって許容される書込み倍速及び記録層別に複数記録され、一つのディスク情報は、１１２バイトを含む。具体的には、１１２バイトで構成されたディスク情報は、ディスク情報（ＤＩ）フレームと呼ばれる。さらに、ディスク情報の内容がフラグメントの残りの各先頭クラスタに繰り返して記録され、これによってディスク情報の損失に対応することができる。
【００３６】
対応する記録層を表す情報と、書込み倍速を表す情報と、その書込み倍速に対応する書込み方式情報が各ディスク情報内に記録される。したがって、このような情報は、対応する光ディスクの記録再生で利用され、これによって記録層別または書込み倍速別に最適の書込みパワーを提供できるようになる。
【００３７】
すなわち、本発明のディスク情報（ＤＩ）は、対応するディスクによってサポートされる特定の書込み倍速情報と、関連する書込み方式情報を提供することに特徴があり、より具体的には、対応するディスクに複数の記録層が存在する場合、特定の方法を通じて、各記録層に対してサポートされる特定の書込み倍速と、関連する書込み方式情報を提供することに特徴がある。
【００３８】
ディスク情報（ＤＩ）の特定の構成は、ブルーレイディスク（ＢＤ）のそれに関係する。ＤＶＤベースのディスクは、上述した構造と異なる構成を有することがあることは明らかである。具体的には、ディスク情報（ＤＩ）のサイズがＢＤのそれに対応する場合、これは、例えば等価的に１１２バイトである。もっとも、同じ記録層のディスク情報（ＤＩ）を一つの情報と見なして、共通の情報を繰り返すことなく一度だけ提供することによって、加えて書込み倍速別にのみ異なる書込み方式を構成することができるかもしれない。
【００３９】
本発明に従ってディスク情報内に特定情報などを記録する方法、ディスク情報を構成する方法についてのさまざまな実施例を、添付の図面を参照して以下に詳細に説明する。
【００４０】
図４Ａ乃至図４Ｅは、本発明の第１実施例によって光ディスクのディスク情報を記録することを示す図であり、仕様により定義された複数の書込み方式（ＷＳ）タイプのうち一つが、対応するディスク情報に記録されている。
【００４１】
図４Ａは、本発明の第１実施例による光ディスクのディスク情報を記録する概念を示している。
【００４２】
図４Ａを参照して、複数のディスク情報がディスク内に記録され、各ディスク情報の記録シーケンスがシーケンス番号によって決定され、記録シーケンスは１バイトで記録される。例えば、対応する情報はディスク情報内の５番目のバイトに記録され、これは「ＤＩブロック内のＤＩフレームシーケンス番号」フィールドと名付け、簡略に「００ｈ、０１ｈ、０２ｈ、０３ｈ、…」によって示される。
【００４３】
すなわち、５番目のバイトの情報は次のように定義される。まず、５番目のバイトの情報が「００ｈ」である場合、「００ｈ」は１番目のディスク情報を意味すると同時に、第１記録層Ｌａｙｅｒ０の１倍速のディスク情報を意味する。「０１ｈ」は２番目のディスク情報を意味すると同時に、第２記録層Ｌａｙｅｒ１の１倍速のディスク情報を意味する。「０２ｈ」は３番目のディスク情報を意味すると同時に、第１記録層Ｌａｙｅｒ０の２倍速のディスク情報を意味する。そして、「０３ｈ」は４番目のディスク情報を意味すると同時に、第２記録層Ｌａｙｅｒ１の２倍速のディスク情報を意味する。
【００４４】
したがって、ディスク情報は、優先的に書込み倍速順に配列され、次いで記録層順別に構成される。もっとも、これは一例にすぎない。逆に、ディスク情報を構成するにあたって、記録層順を書込み倍速順より優先することもできる。
【００４５】
さらに、対応するディスク情報によって意味される書込み倍速と連動する書込み方式（ＷＳ）がディスク情報内の特定領域（例えば、Ｌ番目〜１１１番目のバイトとして「書込み方式パラメータ」フィールドと名付けた領域）に記録される。そして、Ｌ番目〜１１１番目のバイトに記録された書込み方式（ＷＳ）のタイプまたは種類を識別できる識別情報がディスク情報内の他の特定領域（例えば、Ｎ番目のバイトとして「書込み方式タイプ」フィールドと名付けられた領域）に記録される。
【００４６】
「書込み方式（ＷＳ）」の意味を考えると、一般に、ピックアップ（図８の「１１」）を介して光ディスク内の記録層にレーザービームを与えることによって記録層の媒質特性が変更されて記録が行われる。したがって、レーザービームの強度（書込みパワー）及び書込みパワーを印加する時間などを決定しなければならない。上記のように決定された多様な種類の書込み方式は、「書込み方式（ＷＳ）」と一般に名付けられ、特定の「書込み方式（ＷＳ）」内に記録される特定内容は「書込み方式（ＷＳ）パラメータ」と名付けられる。
【００４７】
本発明で使用される書込み方式（ＷＳ）情報は、書込み方式（ＷＳ）と関連した全ての情報を意味する。そして、「ＷＳパラメータ」とは、ＷＳを構成する項目と特定の数値を意味し、一種のＷＳ情報である。したがって、ＷＳ情報は、ＷＳパラメータのほか、上述した「ＷＳタイプ」、後述する「ＷＳフラグ」を含む包括的概念を有する。
【００４８】
書込み方式（ＷＳ）は、さまざまな方式で記録され得る。ディスクが高密度になり、高倍速で稼働するほど、記録層の媒質特性だけでなく書込み倍速（すなわち、ディスクＲＰＭ）に大きく影響を受けることになる。したがって、より正確なシステムが要求される。以下、さまざまな書込み方式（ＷＳ）を例に挙げて説明する。
【００４９】
第一に、記録層媒質に形成される記録マークサイズ（ｎ）よりも１少ない記録パルスを有するシステムがあり、これを「（ｎ−１）ＷＳ」と呼ぶことがある。例えば、マークが長さ７Ｔを有する場合、（ｎ−１）ＷＳによって７Ｔを形成するのに６パルスを必要とする。この場合、各書込みパルスの時間または書込みパワーのレベルは、対応するディスク情報に記録された書込み方式パラメータによって定義される。第二に、記録マークサイズ（ｎ）の半分に相当するサイズの記録パルスを有するシステムがあり、これを「ｎ／２ＷＳ」と呼ぶことがある。例えば、マークが長さ７Ｔを有する場合、ｎ／２ＷＳによって７Ｔを形成するのに３パルスを必要とする。すなわち、その結果の少数部分は切り捨て、整数個のパルスのみが利用可能である。この場合、各書込みパルスの時間または書込みパワーのレベルは、対応するディスク情報に記録された書込み方式パラメータにより定義される。各書込み方式タイプに対するそれぞれの書込み方式パラメータは、互いに異なる値を有することがある。しかも、新しい書込み方式（ＷＳ）が開発され続けている。異なるタイプの書込み方式（ＷＳ）に関し、これら書込み方式（ＷＳ）に適用するパラメータが互いに異なるので、さまざまなシステムの書込み方式（ＷＳ）が存在するとき、ディスク製作者は、その書込み方式（ＷＳ）によって書込みパワーをテストし、そのテストの結果をディスク情報内のＬ番目〜１１１番目のバイトの「ＷＳパラメータ」フィールドに記録し、（ＷＳ）タイプ情報をＮ番目のバイトに記録する。
【００５０】
Ｎタイプの書込み方式（ＷＳ）がある場合、識別情報は各書込み方式に特定の認識値を割り当てて次のように定義する。例えば、「００００  ０００１ｂ」は、１番目のＷＳ（書込み方式−１またはＷＳ−１）を意味する。「００００  ００１０ｂ」は、２番目のＷＳ（書込み方式−２またはＷＳ−２）を意味する。「ＸＸＸＸ  ＸＸＸＸｂ」は、Ｎ番目のＷＳ（書込み方式−ＮまたはＷＳ−Ｎ）を意味する。
【００５１】
本発明では、例えば、１番目のＷＳ（ＷＳ−１）が、上述した「（ｎ−１）ＷＳ」により定義され、２番目のＷＳ（ＷＳ−２）が、「（ｎ／２）ＷＳ」により定義される。
【００５２】
また、「ＷＳタイプ」フィールドが「００００  ００００ｂ」に設定されると、ディスク情報内に書込み方式パラメータだけでなく特定のＷＳタイプが存在しないということを意味するように定義することができる。すなわち、Ｎ番目のバイトの「書込み方式タイプ」は、ＷＳタイプを指定する情報だけでなく、ＷＳが存在しないということを示す情報として利用することができる。
【００５３】
図４Ｂは、特定の書込み方式（ＷＳ）に対するディスク情報を記録する一例を示し、ディスク製作者が、第１記録層の１倍速ディスク情報内に、１倍速に関する書込み方式（ＷＳ）を記録するにあたって、さまざまな仕様によるＷＳ（書込み方式）から１番目のＷＳ（ＷＳ−１）を記録することを選択する。
【００５４】
すなわち、ディスク情報のＮ番目のバイトの「ＷＳタイプ」フィールドが「００００  ００１ｂ」である場合、１番目のＷＳ（ＷＳ−１）を意味し、ＷＳ−１に対応するパラメータ値は、Ｌ番目〜１１１番目のバイトの「書込み方式パラメータ」フィールドに書き込まれる。
【００５５】
したがって、ディスク製作者が２番目のＷＳ（ＷＳ−２）を記録することを選択する場合、「００００  ００１０ｂ」が「書込み方式タイプ」フィールドに書き込まれ、２番目のＷＳに適合するパラメータは、Ｌ番目〜１１１番目のバイトに書き込まれることになる。これらＬ番目〜１１１番目のバイトに書き込まれたパラメータは、その書込み方式（ＷＳ）タイプによって互いに異なる値を有する。これら対応する書込み方式（ＷＳ）パラメータは、ディスクの特性に適合する指定された情報としてあらかじめ定められ、ディスク製作者またはシステム設計者に提供されることになる。
【００５６】
図４Ｃ乃至図４Ｅは、ディスク情報内に、上記で定義した書込み方式（ＷＳ）を記録する方法に対する特定の実施例を示している。図４Ｃ及び図４Ｄは、ディスクの製作に関し全ての記録層と記録速度に対して書込み方式（ＷＳ）がオプションとして選ばれて記録される方法を示している。図４Ｅは、特定の記録速度の場合に必須的にあらかじめ定められた書込み方式を記録する方法を示している。
【００５７】
説明の便宜上、ディスクが二重層を含み、各記録層に１倍速（１Ｘ）と２倍速（２Ｘ）が適用されるとする。
【００５８】
図４Ｃは、全ての記録層及び全ての記録速度において相異なる書込み方式（ＷＳ）をオプションとして記録できる場合を示している。例えば、ディスク情報シーケンスとして「００ｈ」には第１記録層Ｌａｙｅｒ０の１倍速に対するディスク情報が記録され、書込み方式（ＷＳ）として１番目のＷＳ（ＷＳ−１）が選択されて記録される。「０１ｈ」には第２記録層Ｌａｙｅｒ１の１倍速に対するディスク情報が記録され、書込み方式（ＷＳ）として２番目のＷＳ（ＷＳ−２）が選択されて記録される。「０２ｈ」には第１記録層Ｌａｙｅｒ０の２倍速に対するディスク情報が記録され、書込み方式（ＷＳ）として１番目のＷＳ（ＷＳ−１）が選択されて記録される。「０３ｈ」には第２記録層Ｌａｙｅｒ１の２倍速に対するディスク情報が記録され、書込み方式（ＷＳ）としてＮ番目のＷＳ（ＷＳ−Ｎ）が選択されて記録される。この場合、第１記録層Ｌａｙｅｒ０の１倍速のために使用される１番目のＷＳ（ＷＳ−１）（例えば、（ｎ−１）書込み方式タイプ）に対する書込み方式パラメータは、第１記録層Ｌａｙｅｒ０の２倍速のために使用されるものとは異なる値を有することができる。
【００５９】
図４Ｄは、書込み方式（ＷＳ）をオプションとして記録できるようにする他の例を示し、全ての記録層と記録速度に関するディスク情報に、同じタイプの書込み方式（ＷＳ）が適用される。このような場合、特定の記録層及び／または書込み倍速のための書込み方式パラメータは、他の記録層及び／または書込み倍速のための書込み方式パラメータとは異なる値をそれぞれ有することができる。
【００６０】
すなわち、書込み方式をオプションとして記録できるため、ディスク製作者は最も信頼できる一つの書込み方式（ＷＳ）を、全てのディスク情報に等しく適用できる。図４Ｄは、１番目のＷＳ（ＷＳ−１）が全てのディスク情報に記録される場合を示している。
【００６１】
図４Ｅは、特定の記録速度の場合には、必須のあらかじめ定められた書込み方式（ＷＳ）を記録し、残りの記録速度の場合にはオプションの書込み方式（ＷＳ）を記録する方法を示している。一般に、１倍速に対する書込み方式（ＷＳ）は、最も重要な書込み方式（ＷＳ）であり、その特定の方法は、指定された決定によりあらかじめ決められ、１倍速を除く残りの記録速度をディスク製作者がオプションで記録できるようにする。もっとも、高倍速ディスクの場合には、必須の決定された記録速度が、１倍速のほか、２倍速または３倍速などにもなりうることは明らかである。
【００６２】
例えば、１倍速に対する必須の書込み方式（ＷＳ）タイプが１番目のＷＳ（ＷＳ−１）である場合、ディスク情報シーケンスとして「００ｈ」と「０１ｈ」には第１記録層の１倍速に対するディスク情報が記録され、１番目のＷＳ（ＷＳ−１）が書込み方式（ＷＳ）として必須として書き込まれなければならない。「０２ｈ」と「０３ｈ」には第１記録層の２倍速に対するディスク情報が書き込まれ、オプションとして記録されうる書込み方式（ＷＳ）として２番目のＷＳ（ＷＳ−２）が選択されて記録される。したがって、１倍速に対する必須の書込み方式（ＷＳ）タイプが２番目のＷＳ（ＷＳ−２）である場合、２番目のＷＳ（ＷＳ−２）は、ディスク情報シーケンスが１倍速のディスク情報をそこに記録する際に「００ｈ」および「０１ｈ」と同様、必須として記録されなければならないことは明らかである。
【００６３】
図４Ｅの場合の適用において、複数の指定された書込み方式の一つが必須の１倍速書込み方式（ＷＳ）として一様に書き込まれ、これによってディスク記録特性をよりセキュアにできるようになる。また、ディスク製作者は１倍速を除く残りの倍速について、指定された複数の書込み方式（ＷＳ）の一つをオプションとして記録できるようになり、これによってディスク製作工程時間が短縮できる。
【００６４】
なお、図４Ｅの特定の場合には、１倍速に対する必須の書込み方式（ＷＳ）を記録できるだけでなく、ディスク製作者が１倍速に対して他の書込み方式（ＷＳ）をオプションとして別途記録することができる。この場合、１倍速に対するディスク情報には、指定された必須の書込み方式（ＷＳ）を含むディスク情報と、オプションの書込み方式（ＷＳ）を含む異なるディスク情報を含むことができる。これについては、本発明の第２実施例（図５Ａ乃至図７）の説明で詳細に説明される。
【００６５】
図５Ａ乃至図７は、本発明の第２実施例による光ディスクのディスク情報の記録方法を示している。本発明の第２実施例は、同じ書込み倍速／記録層に対して少なくとも一つの書込み方式（ＷＳ）が構成されることを特徴とする。すなわち、書込み方式（ＷＳ）タイプによってそれぞれ分類されるように同じ書込み倍速/記録層と関連した複数のディスク情報が存在することができる。
【００６６】
図５Ａ及び図５Ｂは、本発明の第２実施例による光ディスクのディスク情報の記録方法の概念を示し、ディスク情報それぞれのシーケンスがシーケンス番号によって決定され、１バイトで記録される。
【００６７】
例えば、対応する情報は、ディスク情報内に５番目のバイトに記録され、「ＤＩブロック内のＤＩフレームシーケンス番号」と名付けられ、簡略に「００ｈ、０１ｈ、０２ｈ、…」によって表される。すなわち、５番目のバイトの情報が「００ｈ」である場合、１番目のディスク情報を意味し、５番目のバイト情報が「０７ｈ」である場合、８番目のディスク情報を意味する。
【００６８】
ディスク情報の構成において、本発明は、ディスク情報が書込み倍速別、記録層別、及び書込み方式（ＷＳ）別に個別に提供され、これら個別に提供された複数のディスク情報の構成シーケンスは、所定の方式に従って一様に決定されることを特徴とする。
【００６９】
例えば、対応する光ディスクが１対の記録層を含み、複数のＷＳタイプが存在する場合、ディスク情報は次のように構成することができる。
【００７０】
１番目のディスク情報の「００ｈ」は、１倍速、１番目の記録層Ｌ０、及びＷＳ１と関連する。２番目のディスク情報の「０１ｈ」は、１倍速、１番目の記録層Ｌ０、及びＷＳ２と関連する。３番目のディスク情報の「０２ｈ」は、１倍速、２番目の記録層Ｌ１、及びＷＳ１と関連する。４番目のディスク情報の「０３ｈ」は、１倍速、２番目の記録層Ｌ１、及びＷＳ２と関連する。５番目のディスク情報の「０４ｈ」は、２倍速、１番目の記録層Ｌ０、及びＷＳ１と関連する。６番目のディスク情報の「０５ｈ」は、２倍速、１番目の記録層Ｌ０、及びＷＳ３と関連する。７番目のディスク情報の「０６ｈ」は、２倍速、２番目の記録層Ｌ１、及びＷＳ１と関連する。８番目のディスク情報の「０７ｈ」は、２倍速、２番目の記録層Ｌ１、及びＷＳ３と関連する。
【００７１】
すなわち、ディスク情報の構成において、本発明による第２実施例は、少なくとも一つのディスク情報が書込み倍速別に構成され、それぞれの記録倍速別ディスク情報は、記録層別に再構成され、少なくとも一つのＷＳタイプが各記録層に提供されることを特徴とする。
【００７２】
したがって、同じ書込み倍速／記録層に対するディスク情報の構成において、ＷＳタイプによって複数のディスク情報を構成することが可能になる。
【００７３】
図５Ａは、ディスク製作者が同じ書込み倍速／記録層に対する全てのＷＳを記録するために任意に選択することを示し、全てのディスク情報に記録されたＷＳが、「オプションのＷＳ」となる。
【００７４】
図５Ｂは、必須として決定されたＷＳが、同じ書込み倍速／記録層に対する複数のディスク情報の一部に適用され、ディスク製作者により任意に選択されたＷＳが複数のディスク情報の残りに適用され、「必須のＷＳ」が、同じ書込み倍速/記録層に対する複数のディスク情報のうち前の情報に記録され、「オプションのＷＳ」が、前の情報に続くディスク情報に記録されることを示している。
【００７５】
図５Ｂでは、１番目のＷＳ（ＷＳ−１）が１倍速または２倍速における「必須のＷＳ」の一例として取り上げられている。もっとも、対応する仕様の決定によって、１倍速のための「必須のＷＳ」が２倍速のためのそれと異なることができることは明らかである。
【００７６】
図６Ａは、本発明の第２実施例によるディスク情報を構成する一例を示している。
【００７７】
図６Ａを参照すると、「ＤＩブロック内のＤＩフレームシーケンス番号」が、各ディスク情報の５番目のバイトに提供されてシーケンスを意味し、これは、ディスク情報が特定の順序（書込み倍速−＞記録層−＞ＷＳタイプ）で構成されることを意味する。
【００７８】
「書込み方式（ＷＳ）タイプ」フィールドが、ディスク情報内の特定の領域（Ｎ番目のバイト）に提供され、ＷＳタイプ情報がこの対応するフィールドに書き込まれる。
【００７９】
また、対応するディスクの仕様によって適用可能な書込み方式（ＷＳ）のタイプを知らせる情報が、ディスク情報内の他の特定領域（Ｋ番目のバイト）に記録され、これは「書込み方式（ＷＳ）フラグ」フィールドと名付けられる。例えば、８タイプの書込み方式（ＷＳ）のうち特定の書込み方式（ＷＳ）が対応するディスクによって適用可能であるか否かを、１バイトが割り当てられた同一領域内において、各１ビットにより表される。すなわち、ビット値が全ビットで「０ｂ」である場合、対応する書込み方式（ＷＳ）は適用（サポート）できないものと定義したり、ビット値が「１ｂ」である場合、対応する書込み方式（ＷＳ）が適用（サポート）できるものと定義することができる。したがって、１バイト内のビットｂ０〜ｂ７のそれぞれは、特定の書込み方式（ＷＳ）の適用可能性を示すフラグ情報となる。例えば、１番目から３番目のタイプの書込み方式（ＷＳ１〜ＷＳ３）が対応するディスクによって適用可能であるだけであれば、「００００  ０１１１ｂ」がＬ番目のバイトに書き込まれ、８タイプの書込み方式（ＷＳ１〜ＷＳ８）の全てが適用可能であれば、「１１１１  １１１１ｂ」がＬ番目のバイトに書き込まれる。図６Ａでは、「００００  １１１１ｂ」がＫ番目のバイトに書き込まれて、４つのＷＳタイプＷＳ１〜ＷＳ４が適用可能であることを示している。
【００８０】
具体的には、ディスク情報を構成するに当たって、書込み方式（ＷＳ）タイプ別にディスク情報を記録することができる。もっとも、この場合には、記録されたディスク情報の数が過度に増加する。また、ディスク製作者は、全ての書込み方式（ＷＳ）タイプをテストし、テスト結果をディスク情報内に記録しなければならず、負担が大きくなる。
【００８１】
それゆえ、本発明による実施例では、最大適用可能な書込み方式タイプの数（ｎ）よりも小さい数（ｍ）の書込み方式（ＷＳ）がディスク情報内に記録可能であり、ディスク製作者は、複数の書込み方式（ＷＳ）のうち特定の一つをオプションとして記録できるようにし、これによってディスク製作者の便宜が保障されると同時にディスク情報の効率的な記録が可能になる。
【００８２】
図６Ａでは、第１及び第２タイプの書込み方式ＷＳ１及びＷＳ２を用いて１倍速（１Ｘ）で記録を行ったり、第２及び第３タイプの書込み方式ＷＳ２及びＷＳ３を用いて２倍速（２Ｘ）で記録を行ったり、第３及び第４タイプの書込み方式ＷＳ３及びＷＳ４を用いて３倍速（３Ｘ）で記録を行う。
【００８３】
すなわち、書込み倍速別に合計で適用可能な書込み方式（ＷＳ）タイプ（４タイプ）よりも少ない書込み方式（ＷＳ）タイプ（２タイプ）を用いてディスク情報を記録することができる。各ディスク情報に適用される本来の書込み方式（ＷＳ）は、「書込み方式（ＷＳ）タイプ」フィールド（Ｎ番目のバイト）と、「書込み方式（ＷＳ）パラメータ」フィールド（Ｐ番目〜１１１番目のバイト）を介して確認または検証できる。
【００８４】
図６Ｂは、本発明の第２実施例によるディスク情報を記録する他の例を示している。図６Ａと同様に、４つの適用可能な書込み方式タイプが存在し、Ｋ番目のバイトに「００００  １１１１ｂ」が書き込まれる。
【００８５】
具体的には、複数の適用可能な書込み方式（ＷＳ）のうち一つを用いてディスク情報を構成するにあたって、同じ書込み倍速及び記録層別に少なくとも一つのディスク情報が構成される。そうするにあたって、最も優先的に提供されるディスク情報は、ディスク製作者により提供される選好ＷＳと定義され、この選好ＷＳに続く他のディスク情報は、代替ＷＳとして定義される。
【００８６】
すなわち、ディスク情報「００ｈ」とディスク情報「０１ｈ」の両方は、１倍速（１Ｘ）と１番目の記録層（Ｌ０）と関連する。もっとも、優先的に提供されるディスク情報として「００ｈ」に記録されるＷＳ１タイプ情報が、選考ＷＳとなり、その次に提供されるディスク情報として「０１ｈ」に記録されるＷＳ２タイプ情報が、代替ＷＳとなる。
【００８７】
そして、ディスク情報「０４ｈ」、ディスク情報「０５ｈ」、及びディスク情報「０６ｈ」は、２倍速（２Ｘ）及び１番目の記録層（Ｌ０）と関連する。もっとも、優先的に提供されるディスク情報として「０４ｈ」に記録されるＷＳ２タイプ情報が選好ＷＳとなり、その次に提供されるディスク情報として「０５ｈ」に記録されるＷＳ１タイプ情報と、「０６ｈ」に記録されるＷＳ３タイプ情報がそれぞれ、代替ＷＳとなる。すなわち、これらは、同じ書込み倍速／記録層の少なくとも３つのディスク情報に適用することができる。
【００８８】
また、ディスク情報「１０ｈ」は、３倍速（３Ｘ）と１番目の記録層（Ｌ０）に関連し、ディスク情報「１１ｈ」は、３倍速（３Ｘ）と２番目の記録層（Ｌ１）に関連する。同じ書込み倍速／記録層に対して一つのＷＳタイプ情報のみが提供される場合、その提供されるＷＳが選好ＷＳとなる。
【００８９】
すなわち、ディスク製作者があらかじめ定められた仕様によってディスク内にディスク情報を提供するとき、光記録再生装置（図８）は、特定の順序でディスク情報を読み出す（例、書込み倍速−＞記録層）。仮に、複数のディスク情報が同じ書込み倍速／記録層に対して存在する場合、光記録再生装置（図１０）は、ディスク情報内の優先的に提供されるＷＳを選好ＷＳとして認識し、次のＷＳを、ディスク製作者によって追加的に提供される代替ＷＳとして認識し、これによってディスク情報を效率的に用いて記録再生できるようになる。
【００９０】
選好ＷＳ及び代替ＷＳの両方ともディスク製作者がオプションとして選定できる「オプションのＷＳ」である場合にも、選好ＷＳを「必須のＷＳ」に、また代替ＷＳを「オプションのＷＳ」だけ提供するようにすることも可能である。
【００９１】
図７は、本発明の第２実施例によるディスク情報を記録する他の例を示し、ディスク製作者が特定の書込み倍速で最も優先する書込み方式（ＷＳ）タイプの情報を直接提供することを示している。
【００９２】
図７を参照すると、「書込み方式（ＷＳ）タイプ」フィールド（Ｎ番目のバイト）及び「書込み方式（ＷＳ）フラグ」フィールド（Ｋ番目のバイト）が、ディスク情報内のＮ番目及びＫ番目のバイトにそれぞれ記録される。フィールドに記録された各情報の意味は、図６Ａ及び図６Ｂにおけるものと同様である。そして、「書込み倍速における最良のＷＳフラグ」フィールドが、ディスク情報内の他の特定の領域（Ｑ番目のバイト）に提供され、これによって、ディスク製作者は、同じ書込み倍速別に複数の書込み方式（ＷＳ）のうち最良の品質を示すＷＳの情報を提供する。例えば、図７は、２番目のＷＳ（ＷＳ２）が、特定の書込み倍速において８個の適用可能なＷＳのうち「最良のＷＳ」であることを示している。
【００９３】
複数の書込み方式が図６Ａと同様に、同じ書込み倍速/記録層に対して存在できる場合、光記録再生装置（図８）は、対応する記録倍速に対してどれが最も適切なＷＳかを区別できない。そのため、光記録再生装置は、ディスク情報に提供される全てのＷＳを適用することによって最適のＷＳを算出する。もっとも、「書込み倍速における最良のＷＳフラグ」フィールドをＱ番目のバイトに提供することによって、Ｑ番目のバイトに記録されたＷＳを優先的に利用するのに適用することができる。
【００９４】
複数の書込み方式が図６Ｂのように、同じ書込み倍速／記録層に対して存在する場合、あらかじめ指定された決定方法によって、１番目のディスク情報に記録されたＷＳを選好ＷＳとして認識できる。もっとも、「書込み倍速における最良のＷＳフラグ」フィールドをＱ番目のバイトに提供することによって、選好ＷＳを再確認することもできる。また、同じ書込み倍速／記録層に対して１番目のディスク情報に記録された選好ＷＳがＱ番目のバイトの「書込み倍速における最良のＷＳフラグ」情報と異なる場合、例えば、選好ＷＳが必須の方式で決定された「必須ＷＳ」である場合、ディスク製作者によって提供されたＱ番目のバイトの情報を優先し、これによって、同じ書込み倍速において最適のＷＳを決定する際に情報をより效率的に提供可能になる。
【００９５】
図８は、本発明による光ディスク記録再生装置を示すブロック図である。
【００９６】
図８を参照すると、本発明による記録再生装置は、光ディスクに関して記録再生を行う記録再生部１０と、この記録再生部１０を制御する制御部２０とを含む。
【産業上の利用可能性】
【００９７】
制御部２０は、特定領域に対する記録または再生コマンドを与え、記録再生部１０は制御部２０のコマンドによって特定領域に対する記録／再生を行う。具体的には、記録再生部１０は、外部装置と通信を行うインターフェース部１２と、光ディスクにデータを直接的に記録したり、データを再生するピックアップ部１１と、ピックアップ部１１から再生信号を受信して、必要な信号値に復元したり、変調して記録される信号を光ディスクに記録される信号に伝達するデータ処理部１３と、光ディスクから正しく信号を読み取るか、光ディスクに信号を正しく記録するためにピックアップ部１１を制御するサーボ部１４と、ディスク制御情報を含むディスク制御情報を一時的に格納するメモリ１５と、記録再生部１０内の上述した構成要素の制御を担当するマイコン１６とを含む。
【００９８】
以下、本発明による光ディスクの記録プロセスを詳細に説明する。
【００９９】
まず、光ディスクが記録再生装置に装填されると、ディスク内の全てのディスク管理情報が読み出されて、記録再生部１０のメモリ１５に一時的に格納される。また、特定ディスク管理情報のみを光ディスクから読み出すこともできる。多種多様なディスク管理情報が光ディスクの記録／再生のために利用される。具体的には、メモリ１５に格納される管理情報は、本発明のディスク制御情報を含む。そのため、ディスク情報内に記録された、記録層情報、対応する記録倍速に適合する書込み方式、及び記録倍速情報が読み出されてメモリに格納される。
【０１００】
光ディスク内の特定領域に記録を行おうとする場合、制御部２０はその旨を記録コマンドにレンダし、記録される位置情報を書き込むデータと共に記録再生部１０に伝達する。この書込みコマンドを受け取った後、マイコン１６は、メモリ１５に格納された管理情報から光ディスク内の意図された記録層に適用される対応する書込み倍速を決定または選択し、（あらかじめ）決定または選択した書込み方式タイプと、決定または選択された書込み倍速に適用可能な書込み方式パラメータを用いて書込みコマンドを実行する。
【０１０１】
具体的には、本発明では、管理情報として前記ディスク情報が特定順序で提供され、マイコン１６は、どのＷＳが同じ書込み倍速及び記録層でディスク製作者の選好ＷＳであるかを認識する。それゆえ、特定の書込み倍速で光ディスク内の特定の記録層に対する記録を行うのがより容易になる。
【０１０２】
したがって、本発明は高密度光ディスクにおいて高い書込み倍速に対応するディスク制御情報を提供する様々な方法を提供し、これによって光ディスクの記録／再生に効率的に対応するために標準化されたディスク制御情報を一様に適用できるようになる。
【０１０３】
種々の修正及び変更が本発明で可能であるということは、当業者にとっては明らかであろう。このように、本発明は、添付の請求の範囲およびその均等物の範囲内に入ることを条件として本発明の修正及び変更を網羅することが意図されている。
【図面の簡単な説明】
【０１０４】
【図１】本発明に適用可能な単一層ディスクを示す図である。
【図２】本発明に適用可能な二重層ディスクを示す図である。
【図３】本発明のディスク制御情報が記録される管理領域を示し、ディスク情報記録フォーマットを例示する図である。
【図４Ａ】本発明の第１実施例よって記録されるディスク制御情報のデータ構造例を示す図である。
【図４Ｂ】本発明の第１実施例よって記録されるディスク制御情報のデータ構造例を示す図である。
【図４Ｃ】本発明の第１実施例よって記録されるディスク制御情報のデータ構造例を示す図である。
【図４Ｄ】本発明の第１実施例よって記録されるディスク制御情報のデータ構造例を示す図である。
【図４Ｅ】本発明の第１実施例よって記録されるディスク制御情報のデータ構造例を示す図である。
【図５Ａ】本発明の第２実施例によって記録されるディスク制御情報のデータ構造例を示す図である。
【図５Ｂ】本発明の第２実施例によって記録されるディスク制御情報のデータ構造例を示す図である。
【図６Ａ】本発明の第２実施例によって記録されるディスク制御情報の他のデータ構造例を示す図である。
【図６Ｂ】本発明の第２実施例によって記録されるディスク制御情報の他のデータ構造例を示す図である。
【図７】本発明の第２実施例によって記録されるディスク制御情報の他のデータ構造例を示す図である。
【図８】本発明による光ディスク記録及び再生装置を示すブロック図である。
【図１】
2006313621.tif 000003
【図２】
2006313621.tif 000004
【図３】
2006313621.tif 000005
【図４Ａ】
2006313621.tif 000006
【図４Ｂ】
2006313621.tif 000007
【図４Ｃ】
2006313621.tif 000008
【図４Ｄ】
2006313621.tif 000009
【図４Ｅ】
2006313621.tif 000010
【図５Ａ】
2006313621.tif 000011
【図５Ｂ】
2006313621.tif 000012
【図６Ａ】
2006313621.tif 000013
【図６Ｂ】
2006313621.tif 000014
【図７】
2006313621.tif 000015
【図８】
2006313621.tif 000016